(57)【要約】      （修正有）【課題】裁断作動の緊急停止を可能としたシュレッダーを提供する。  【解決手段】シュレッダーは、裁断したい紙などを投入する投入開口部と、この投入開口部から投入した紙などを裁断する裁断構造と、この裁断構造の動作を起動及び停止させるオン/オフスイッチと、このオン／オフスイッチに連接して該オン／オフスイッチをオフ動作させて前記裁断構造の動作を停止させるストップボタンと、を備えている。この構成で、ユーザーはストップボタンを押すだけで、シュレッダーの電源を切ることができ、一旦ストップボタンを押せば、オン/オフスイッチが素早く自動的にオフの状態に切り替わるため、シュレッダーの電源をオフにすることができる。【選択図】図２
0003143528.tif 000002
【実用新案登録請求の範囲】
【請求項１】
裁断したい紙などを投入する投入開口部と、この投入開口部から投入した紙等を裁断する裁断構造と、この裁断構造の動作を起動及び停止させるオン/オフスイッチと、このオン/オフスイッチに連接して該オン/オフスイッチをオフ動作させて前記裁断構造の動作を停止させるストップボタンと、を備えたことを特徴とするシュレッダー。
【請求項２】
前記ストップボタンにより、オン/オフスイッチを作動位置に固定可能であることを特徴とする請求項1記載のシュレッダー。
【請求項３】
前記ストップボタンは、突出部を有し、前記オン/オフスイッチが作動位置にある際、該突出部は蓋ケースのストッパー部分に隣接して、該オン/オフスイッチが作動位置に固定されることを特徴とする請求項1記載のシュレッダー。
【請求項４】
裁断したい紙などを挿入する投入開口部、この投入開口部から挿入された紙などを裁断する裁断構造、この裁断構造を起動或いは停止させるオン/オフスイッチ、及びストップボタンを備え、
前記ストップボタンは、前記オン/オフスイッチに連接し、該ストップボタンを押すことにより、前記裁断構造の電源を切ることを特徴とするシュレッダー。
【請求項５】
前記ストップボタンは、突出部を有し、前記オン/オフスイッチが作動位置にある際、該突出部分が蓋ケースのストッパー部分に隣接することで、前記オン/オフスイッチが作動位置に固定され、及び、前記蓋ケースのストッパー部分はアーチ形状を有することで、前記ストップボタン及びオン/オフスイッチをオフの位置に移動することを特徴とする請求項4記載のシュレッダー。
【考案の詳細な説明】
【技術分野】
【０００１】
本考案は、シュレッダーに係り、特に素早くシュレッダーの電源を切ることができるようにしたシュレッダーに関する。
【背景技術】
【０００２】
知識レベルが向上するにつれ、ますますプライバシーを重視する社会となっている。その為、シュレッダーは今や一般家庭及び会社などの中で欠かせない機器の一つとなっている。このシュレッダーの用途は、紙などを細く切るものであるが、現在ではコンパクトディスクなど、紙以外の情報保存メディア、または使い済みのクレジットカードや其の他のプラスティック製品を裁断するために用いることもある。
【０００３】
アメリカ消費者製品安全委員会(CPSC)は、かつて「シュレッダーの安全警告」(文書番号＃5127、公開時間2004年5月)のレポートを公開した。該レポートに基づくと、2000年1月〜2003年12月までの3年間の間、CPSCは31件のシュレッダーに関する指を切断、切り裂くなど指の怪我に対する報告を受けた。
【０００４】
従来のシュレッダーの電源スイッチは、シュレッダーの外ケース表面に設置されているのが一般であり、外ケース表面をなぞるようにして電源スイッチをオンオフしていた。緊急時、ユーザーは間違った方向にスイッチを入れたり、電源スイッチに手が届かなかったりする恐れがあり、他に多くの欠点及び/或いは制限があるため、改善する必要があった。
【特許文献１】特開２００８−０８０３１８号公報
【考案の開示】
【考案が解決しようとする課題】
【０００５】
本考案は、これらの事情に鑑みてなされたもので、前記従来技術の欠点を解決し、怪我をする恐れを無くすために、迅速にシュレッダーの電源を切ることを可能にしたシュレッダーを提供することを目的とする。
【課題を解決するための手段】
【０００６】
前記課題を解決するために、本考案の一態様によるシュレッダーは、裁断したい紙などを投入する投入開口部と、この投入開口部から投入した紙等を裁断する裁断構造と、この裁断構造の動作を起動及び停止させるオン/オフスイッチと、このオン/オフスイッチに連接して該オン/オフスイッチをオフ動作させて前記裁断構造の動作を停止させるストップボタンと、を備えている。
【０００７】
この構成で、ユーザーはストッボタンを押すだけで、シュレッダーの電源を切ることができ、一旦ストップボタンを押せば、オン/オフスイッチが素早く自動的にオフの状態に切り替わるため、シュレッダーの電源をオフにすることができる。
【考案の効果】
【０００８】
本考案によれば、オン/オフスイッチと連接するストップボタンの設置により、作動中に該ボタンを押すことで、オン/オフスイッチを直ちにオフの位置に戻して、シュレッダーの電源を切ることができるため、安全である。
【考案を実施するための最良の形態】
【０００９】
以下、図面を参照して本考案の実施例を説明する。
【００１０】
図1は、本考案の実施例に係るシュレッダーの立体外観図であり、図2は、本考案の実施例のシュレッダーの外ケースを示す平面図である。
【００１１】
シュレッダーの主な構成部品は、上面を開口したケース1、このケースの上面開口部に装着する蓋ケース2及び紙等を裁断する裁断構造(図に未掲載)を含む。本実施例は、素早く電源を切って作動をストップさせる構造を有する紙或いはＣＤ等を裁断するシュレッダーである。すなわち、ストップボタン4を押すと、直ちにシュレッダーのオン/オフスイッチ3をオフの位置に切り替えることができる。
【００１２】
前記蓋ケース2は、前記ケース1の頂上部に載置され、該蓋ケース２の内部に裁断構造を配置している。前記ケース１と裁断構造は、従来技術を含め如何なるタイプでも可であるため、ここでの説明を省略する。前記蓋ケース2は、投入開口部5を有し、裁断したい紙等を該投入開口部5より内部に投入するようになっている。前記蓋ケース2の外部には、裁断構造と連接するオン/オフスイッチ3及び、前記ストップボタン4が設置されている。
【００１３】
図3は、前記オン/オフスイッチ3が、作動位置にある状態時のストップボタン4を示している。前記オン/オフスイッチ3が作動位置にある際、前記ストップボタン4の突出部6は、蓋ケース2と連接するストッパー部7に隣接しているため、該ストップボタン4及びオン/オフスイッチ3はいずれも該突出部6によってオンの位置にロックされている。シュレッダーの電源を切る際、前記ストップボタン4を押し下げて、該ストップボタン４の突出部6を蓋ケースストッパー部7の下方に移動させる。図4及び図5に示すように、ストップボタン４のサイドスプリング8により、該ストップボタン4がオフの位置に移動する。
【００１４】
図6に示すように、前記ストップボタン4は、縦方向のスプリング10により上方位置に移動するよう付勢されている。該ストップボタン4は、オン/オフスイッチ3に設けた貫通穴から上方に突出している。シュレッダーを作動させるために、ユーザーはオン/オフスイッチ3をオン(作動)位置に移動せると、ストップボタン４の突出部6は蓋ケース２のストッパー部7に隣接するため、該オン/オフスイッチ3は作動位置から動かない。
【００１５】
シュレッダーの電源を切るには、前記ストップボタン4に下向きの外力を加える。それにより該ストップボタン４の突出部6は、蓋ケース２のストッパー部7の下方に下がることで、該ストップボタン４のサイドスプリング8により、該ストップボタン4及び連接するオン/オフスイッチ3も一緒にオフの位置に移動することになる。
【００１６】
図8に示すのは、ストップボタン4の底部である。このストップボタン４の突出部6は、ストップボタン凸縁9上に隣接し、しなやかさのあるプラスティックにより形成されたストップボタン4によって前記凸縁9を彎曲することができる。
【００１７】
蓋ケースストッパー部7は、アーチ状を具有し、ストップボタン４及び連接するオン/オフスイッチ３をオフの位置に移動する。図9及び図10に示すように、突出部6が蓋ケースストッパー部7のアーチに沿って移動するとき、しなやかさのある前記凸縁9が彎曲する。オン/オフスイッチ3を作動位置に切り替えた際、ストップボタン４は、突出部6が作動位置にロックするまで、蓋ケースストッパー部7に沿って移動する。図10に示すように、ストップボタン4を押す時、前記突出部6は蓋ケースストッパー部7の下方にまで下がる。図3〜図5に示すように、ストッパーサイドスプリング8により、連接するオン/オフスイッチ3のストップボタン4がオフの位置に戻る。
【００１８】
上記の詳細説明の他の実施形態を構成することもできる。例えばストッパーボタンはオン/オフスイッチを貫通して突出する構成の他に、ストップボタンはシュレッダーの外ケースの其の他の位置に設置することもできる。また、蓋ケースには多数のストップボタンを設置することもできる。
【００１９】
以上の実施例による本考案の詳細な説明は、本考案の範囲を制限するものではない。本考案の技術及び特徴を熟知する者が、本考案の範囲内にて変更や調整を行っても、本考案の重要な意義は失われず、本考案の範囲に含まれる。
【図面の簡単な説明】
【００２０】
【図１】本考案の実施例を示すシュレッダーの立体外観図である。
【図２】本考案の実施例のシュレッダーの蓋ケースを示す平面図である。
【図３】本考案の実施例のストップボタン、スプリング及び一部の蓋ケースを示す側面図である。
【図４】本実施例のストップボタン、スプリング及び一部の蓋ケースを示す側面図である。
【図５】本実施例のストップボタン、スプリング及び一部の外ケースを示す側面図である。
【図６】本実施例を示す側面断面図である。
【図７】本実施例を示す側面断面図である。
【図８】本実施例のストップボタン、オン/オフスイッチ及び一部の外ケースを示す立体外観図である。
【図９】本実施例の要部を示す平面図である。
【図１０】本実施例の要部を示す平面図である。
【図１１】本実施例のストップボタンを示す側面断面図である。
【図１２】本実施例の要部の分解立体外観図である。
【符号の説明】
【００２１】
1. ケース
2. 蓋ケース
3. オン/オフスイッチ
4. ストップボタン
5. 投入開口部
6. 突出部
7. ストッパー部
8. サイド方向スプリング
9. 凸縁
10. 縦方向スプリング
【図１】
0003143528.tif 000003
【図２】
0003143528.tif 000004
【図３】
0003143528.tif 000005
【図４】
0003143528.tif 000006
【図５】
0003143528.tif 000007
【図６】
0003143528.tif 000008
【図７】
0003143528.tif 000009
【図８】
0003143528.tif 000010
【図９】
0003143528.tif 000011
【図１０】
0003143528.tif 000012
【図１１】
0003143528.tif 000013
【図１２】
0003143528.tif 000014